【手続補正書】
【提出日】平成17年4月19日(2005.4.19)
【手続補正１】
【補正対象書類名】明細書
【補正対象項目名】特許請求の範囲
【補正方法】変更
【補正の内容】
【特許請求の範囲】
【請求項１】
対向して配置された光ファイバコリメータと、前記対向して配置された光ファイバコリメータを連結しているベース部と、前記対向して配置された光ファイバコリメータの間で光結合が可能なように配置されて光機能モジュールの構成部分になることができる少なくとも１つの光機能を有する光学素子を保持した少なくとも１つの光機能オブジェクトと、前記光機能オブジェクトを保持する光機能オブジェクト保持部とを有しており、前記光機能オブジェクトには前記光機能オブジェクトを前記光機能オブジェクト保持部に取り付けることができる取り付け部が設けられており、前記光機能オブジェクト保持部は前記ベース部に設けられているかあるいは前記ベース部に係合して配置されており、前記光機能オブジェクトは前記光機能オブジェクト保持部に着脱可能に保持されて光機能モジュールの構成部分となることを特徴とするカートリッジ型光機能モジュール。
【請求項２】
請求項１に記載のカートリッジ型光機能モジュールにおいて、前記対向して配置された光ファイバコリメータの間に前記光機能オブジェクトと光機能をもたないダミーオブジェクトとを配置したことを特徴とするカートリッジ型光機能モジュール。
【請求項３】
請求項１または２に記載のカートリッジ型光機能モジュールにおいて、前記取り付け部には、前記光機能オブジェクトを前記光機能オブジェクト保持部に取り付けたときの前記光機能オブジェクト保持部との相対的な位置を決める位置決め手段とその位置で前記光機能オブジェクトを前記光機能オブジェクト保持部に固定保持する固定手段とが設けられており、前記位置決め手段は前記光機能オブジェクト保持部の所定の部分と係合する前記取り付け部に設けられた少なくとも１つの、以下において接触面とも称する、基準面あるいは基準凸部が設けられた面を利用する手段であり、前記固定手段は前記接触面とそこに接する前記光機能オブジェクト保持部の部分との接触圧力を高めるように作用する手段であることを特徴とするカートリッジ型光機能モジュール。
【請求項４】
請求項３に記載のカートリッジ型光機能モジュールにおいて、前記取り付け部は、位置決め手段として利用する少なくとも２つの接触面を有しており、前記２つの接触面のなす角度あるいは前記接触面の延長線のなす角度が鋭角であることを特徴とするカートリッジ型光機能モジュール。
【請求項５】
請求項４に記載のカートリッジ型光機能モジュールにおいて、前記取り付け部に設けられた前記接触面が２つであることを特徴とするカートリッジ型光機能モジュール。
【請求項６】
請求項４または５に記載のカートリッジ型光機能モジュールにおいて、前記２つの各接触面は、いずれも同一面上に、前記光機能オブジェクトを前記光機能オブジェクト保持部に取り付けて固定した状態で前記光機能オブジェクト保持部に接する面である接触面の部分と前記光機能オブジェクトを前記光機能オブジェクト保持部に取り付けて固定した状態で前記光機能オブジェクト保持部に接しない面である非接触面の部分とを有していることを特徴とするカートリッジ型光機能モジュール。
【請求項７】
請求項４乃至請求項６のいずれか１項に記載のカートリッジ型光機能モジュールにおいて、前記取り付け部は、前記接触面を少なくとも２つ有しているとともに、前記２つの接触面の間に、前記光機能オブジェクトを前記光機能オブジェクト保持部に取り付けて固定した状態で前記光機能オブジェクト保持部に接しない面である非接触面を前記２つの接触面とは別の面として有していることを特徴とするカートリッジ型光機能モジュール。
【請求項８】
請求項４乃至請求項７のいずれか１項に記載のカートリッジ型光機能モジュールにおいて、前記２つの接触面のなす角度あるいは前記２つの接触面の延長線のなす角度が８０度±５度であることを特徴とするカートリッジ型光機能モジュール。
【請求項９】
請求項１乃至請求項８のいずれか１項に記載のカートリッジ型光機能モジュールにおいて、前記取り付け部は当該光機能オブジェクトの外周部としては凹部になっており、前記外周部の前記凹部とその周辺部との境界部分に曲面またはテーパ面が形成されていることを特徴とするカートリッジ型光機能モジュール。
【請求項１０】
請求項９に記載のカートリッジ型光機能モジュールにおいて、前記取り付け部の前記曲面またはテーパ面に連続して形成されている面が前記接触面であることを特徴とするカートリッジ型光機能モジュール。
【請求項１１】
請求項９または１０に記載のカートリッジ型光機能モジュールにおいて、前記取り付け部の前記曲面またはテーパ面に連続して形成されている面が前記接触面とは異なる面で前記固定手段が形成されている部分を有する、以下において固定部形成面とも称する面であることを特徴とするカートリッジ型光機能モジュール。
【請求項１２】
請求項１乃至請求項１１のいずれか１項に記載のカートリッジ型光機能モジュールにおいて、前記光機能オブジェクトに形成されている取り付け部が、１つの前記接触面と前記１つの接触面の一方の側に形成されている他の接触面を有するとともに、前記１つの接触面の他方の側に形成されている前記固定部形成面とを有していることを特徴とするカートリッジ型光機能モジュール。
【請求項１３】
請求項１１または請求項１２のいずれか１項に記載のカートリッジ型光機能モジュールにおいて、前記固定手段としての固定部品が前記取り付け部の一部である前記固定部形成面の位置に設けられたネジであることを特徴とするカートリッジ型光機能モジュール。
【請求項１４】
請求項１３に記載のカートリッジ型光機能モジュールにおいて、前記ネジを回すことによって前記接触面とその当接する光機能オブジェクト保持部との接触圧力が高められることを特徴とするカートリッジ型光機能モジュール。
【請求項１５】
請求項１乃至請求項１４のいずれか１項に記載のカートリッジ型光機能モジュールにおいて、前記光機能オブジェクト保持部が、前記光機能オブジェクトを配置した状態で、そこに配置した光機能オブジェクトの前記取り付け部に形成されている接触面に当接する、以下において当接面とも称する面もしくは凸部を有する面を少なくとも２つ有するとともに、前記２つの当接面の間に、そこに配置した光機能オブジェクトの前記取り付け部に接触しない、以下において非当接面とも称する面が形成されていることを特徴とするカートリッジ型光機能モジュール。
【請求項１６】
請求項１乃至請求項１５のいずれか１項に記載のカートリッジ型光機能モジュールにおいて、前記対向して配置された光ファイバコリメータの間に少なくとも２つの光機能オブジェクトを配置したことを特徴とするカートリッジ型光機能モジュール。
【請求項１７】
請求項１乃至請求項１６のいずれか１項に記載のカートリッジ型光機能モジュールにおいて、前記光機能オブジェクト保持部に保持されて光機能モジュールを構成することができる各光機能オブジェクトと前記ダミーオブジェクトのうちの少なくとも２つは互いに互換性を有するオブジェクトであることを特徴とするカートリッジ型光機能モジュール。
【請求項１８】
請求項２乃至請求項１７のいずれか１項に記載のカートリッジ型光機能モジュールにおいて、前記光機能オブジェクトと前記ダミーオブジェクトの前記光機能オブジェクト保持部に保持される部分である前記取り付け部が同じ形状寸法であることを特徴とするカートリッジ型光機能モジュール。
【請求項１９】
請求項１乃至請求項１８のいずれか一項に記載のカートリッジ型光機能モジュールにおいて、前記光機能オブジェクト保持部が前記ベース部であり、前記ベース部の少なくとも１つの面に、前記光機能オブジェクトの光路に沿う方向の厚み寸法にほぼ等しくかつ前記光機能オブジェクトを挿入することができる寸法の、以下においてベース凹部とも称する、凹部が形成されており、前記ベース凹部の光路方向の両側には、光路に沿う方向の幅寸法として、前記ベース凹部の幅寸法の２０分の１以下の寸法を有する、以下においてベース凸部とも称する凸部が形成されていることを特徴とするカートリッジ型光機能モジュール。
【請求項２０】
請求項１９に記載のカートリッジ型光機能モジュールにおいて、前記ベース凹部が少なくとも２個あることを特徴とするカートリッジ型光機能モジュール。
【請求項２１】
請求項１９または請求項２０のいずれか１項に記載のカートリッジ型光機能モジュールにおいて、前記光機能オブジェクトを配置する部分の前記光機能オブジェクト保持部の、前記対向して配置されている光ファイバコリメータ間の光路に直交する方向の断面形状が六角形であり、前記六角形の最も長い辺と二番目に長い辺が対向する位置にあり、前記最も長い辺は前記光機能オブジェクトの取り付け部に形成された前記接触面の少なくとも一部が当接する第一の当接面に相当し、前記六角形の最も長い辺と二番目に長い辺の間の一方の側には第二の当接面と非当接面が連続して形成されており、前記第二の当接面は前記二番目に長い辺に接続されており、前記六角形の最も長い辺と二番目に長い辺の間の他方の側には前記固定部の固定手段に係合する一つの面を含む二つの側面が形成されていることを特徴とするカートリッジ型光機能モジュール。
【請求項２２】
請求項２１に記載のカートリッジ型光機能モジュールにおいて、前記光機能オブジェクト保持部の前記２つの側面の一方の側面が前記最も長い辺を形成する接触面と１００度±５度の角度をなして接続されて形成されているとともに他方の側面が前記２番目に長い辺を形成する面と１００度±５度の角度をなして接続されて形成されており、前記他方の側面は前記固定部品が当接される、以下において固定部品当接面とも称する面であることを特徴とするカートリッジ型光機能モジュール。
【請求項２３】
請求項２２に記載のカートリッジ型光機能モジュールにおいて、前記固定部品当接面に前記固定部品がネジである場合においても該ネジが係合できるネジ孔が設けられていないことを特徴とするカートリッジ型光機能モジュール。
【請求項２４】
請求項１９乃至請求項２３のいずれか１項に記載のカートリッジ型光機能モジュールにおいて、前記ベース凸部の光路に沿う方向の幅寸法が０．８ｍｍ以下、前記ベース凹部の光路に沿う方向の幅寸法が２１ｍｍ以下、前記光機能オブジェクト保持部の光路に直交する方向の断面における前記取り付け部の接触面に面する面の幅寸法が２８ｍｍ以下であることを特徴とするカートリッジ型光機能モジュール。
【手続補正２】
【補正対象書類名】明細書
【補正対象項目名】０１２５
【補正方法】変更
【補正の内容】
【０１２５】
また、本発明によれば、ベース凸部の光路に沿う方向の幅寸法を０．８ｍｍ以下、ベース凹部の光路に沿う方向の幅寸法を２１ｍｍ以下、ベース部の光路に直交する方向の断面に於ける前記取り付け部の接触面に面する面の幅寸法を２８ｍｍ以下にすることによって、小型で使いやすい光機能モジュールにすることができる。